(57)【要約】【課題】本発明は、使用者にとって使い勝手のよいデジタルカメラを提供することを目的とする。【解決手段】上記課題を解決するためにデジタルカメラ１００は、被写体像を撮像して連続的に画像データを精製するとＣＣＤイメージセンサ１２０と、生成された画像データから輝度に関する値を取得するコントローラ１５０と、輝度に関する値が所定の目標値になるようＣＣＤイメージセンサ１２０が画像データを生成する際の露出状態を制御するコントローラ１５０と、画像データに基づく画像を表示する液晶ディスプレイ１７０およびバックライト１７１とからなる構成とを備え、液晶ディスプレイ１７０およびバックライト１７１とからなる構成は、自機の起動の際、輝度に関する値と標値との差分に応じて表示を開始する。【選択図】図５
2011029973.tif 000002
【特許請求の範囲】
【請求項１】
被写体像を撮像して連続的に画像データを生成する撮像手段と、
前記生成された画像データから輝度に関する値を取得する取得手段と、
前記輝度に関する値が所定の目標値になるよう前記撮像手段が画像データを生成する際の露出状態を制御する露出制御手段と、
前記画像データに基づく画像を表示する表示手段と、を備え、
前記表示手段は、自機の起動の際、前記輝度に関する値と前記目標値との差分に応じて前記表示を開始する、
撮像装置。
【請求項２】
前記表示手段は、前記輝度に関する値から第一の範囲内に前記目標値があるときに前記表示を開始する、
請求項１に記載の撮像装置。
【請求項３】
前記露出制御手段は、前記撮像手段が画像データの生成を開始してから所定期間内に前記露出状態の変更を完了しようとする第一の露出制御と、前記第一の露出制御の実行後は、前記第一の露出制御よりも前記露出状態の変更を完了しようとするのに要する期間の長い第二の露出制御を実行し、
前記表示手段は、前記輝度に関する値から第一の範囲内に前記目標値がないときは、前記第二の露出制御の実行開始後において、前記輝度に関する値が前記目標値から前記第一の範囲よりも狭い第二の範囲内に入ったときに前記表示を開始する、
請求項１または２のいずれかに記載の撮像装置。
【請求項４】
前記露出制御手段は、前記露出状態の変更を完了しようとする期間の異なる露出制御を有し、前記表示手段が前記表示を開始するタイミングに応じて、前記露出状態の変更を完了しようとする期間のより長い露出制御へと切り替える、
請求項１から３のいずれかに記載の撮像装置。
【請求項５】
前記第一の範囲は、前記撮像手段のダイナミックレンジに基づく範囲である、
請求項１から４のいずれかに記載の撮像装置。
【発明の詳細な説明】
【技術分野】
【０００１】
本発明は撮像装置に関し、特に露出制御が可能な撮像装置に関する。
【背景技術】
【０００２】
電源をＯＮにしてから撮影可能な状態になるまでの立ち上げ時間の速いデジタルカメラが使用者に望まれている。例えば、特許文献１は、レンズ群を除く撮影に必須の手段の初期設定が終了したら、レンズ群の位置に関わらず撮影可能な状態とするデジタルカメラを開示している。これにより、特許文献１のデジタルカメラは、電源をＯＮにしてから撮影可能になるまでの立ち上げ時間を短縮できるとしている。
【先行技術文献】
【特許文献】
【０００３】
【特許文献１】特許第4098940号公報
【発明の概要】
【発明が解決しようとする課題】
【０００４】
使用者は一般に、液晶ディスプレイに表示される被写体画像を見ながら構図を決め、撮影動作を実行する。そのため、液晶ディスプレイを表示可能な状態に立ち上げる時間が短縮されると、使用者にとって使い勝手のよい撮像装置となる。
【０００５】
本発明は上記課題に鑑みてなされたものであり、使用者にとって使い勝手のよい撮像装置を提供することを目的とする。
【課題を解決するための手段】
【０００６】
上記課題を解決するために本発明の撮像装置は、被写体像を撮像して連続的に画像データを生成する撮像手段と、生成された画像データから輝度に関する値を取得する取得手段と、輝度に関する値が所定の目標値になるよう撮像手段が画像データを生成する際の露出状態を制御する露出制御手段と、画像データに基づく画像を表示する表示手段とを備え、表示手段は、輝度に関する値と目標値との差分に応じて前記表示を開始する。
【発明の効果】
【０００７】
本発明により、使用者にとって使い勝手のよいデジタルカメラを提供できる。
【図面の簡単な説明】
【０００８】
【図１】実施の形態１のデジタルカメラ１００の電気的構成図
【図２】目標輝度値と現在の輝度値とのＥｖ差分に対して決定されるＥｖ補正量を説明するための図
【図３】Ｅｖ値に対するＡｖ値とＴｖ値とを示すプログラム線図
【図４】ダイナミックレンジおよび補正範囲を説明するための図
【図５】実施の形態１のデジタルカメラ１００の動作フローチャート
【図６】実施の形態１のデジタルカメラ１００の電源ＯＮ後の制御状況および輝度値の遷移図
【図７】実施の形態１のデジタルカメラ１００の電源ＯＮ後の制御状況および輝度値の遷移図
【発明を実施するための形態】
【０００９】
〔１．実施の形態１〕
実施の形態１に係るデジタルカメラ１００は、電源をONにしてから液晶ディスプレイを表示可能な状態に立ち上げるまでの時間を短縮する。これにより、使用者にとって使い勝手のよいデジタルカメラ１００を提供できる。以下図を用いて、デジタルカメラ１００の構成および動作を説明する。
【００１０】
〔１−１．構成〕
デジタルカメラ１００の構成について、以下図を用いてする。
【００１１】
〔１−１−１．デジタルカメラの電気的構成〕
図１は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像データを生成する。撮像により生成された画像データは前処理部（ＡＦＥ：Analog Front End）１２１や画像処理部１３０において各種処理を施される。画像データはフラッシュメモリ１６０やメモリカード１９２に記憶される。フラッシュメモリ１６０やメモリカード１９２に記憶された画像データは、使用者による操作部１８０の操作を受け付けて液晶ディスプレイ（ＬＣＤ）１７０上に再生表示される。
【００１２】
光学系１１０は、フォーカスレンズ１１１やズームレンズ１１２、絞り１１３、シャッタ１１４等により構成される。図示していないが、光学系１１０は、光学式手ぶれ補正レンズＯＩＳ（Optical Image Stabilizer）を含んでいてもよい。なお、光学系１１０を構成する各種レンズは何枚から構成されるものでも、何群から構成されるものでもよい。
【００１３】
フォーカスレンズ１１１は焦点距離の調節に用いられる。ズームレンズ１１２は拡大縮小倍率の調節に用いられる。絞り１１３は、ＣＣＤイメージセンサに入射する光量の調節に用いられる。シャッタ１１４は、ＣＣＤイメージセンサに入射する光の露出時間を調節する。フォーカスレンズ１１１、ズームレンズ１１２、絞り１１３、シャッタ１１４は、それぞれに対応したＤＣモータやステッピングモータ等の駆動手段（不図示）により、コントローラ１５０から通知された制御信号に従って駆動される。
【００１４】
ＣＣＤイメージセンサ１２０は光学系１１０を通して形成された被写体像を撮像して画像データを生成する。ＣＣＤイメージセンサ１２０は、一定時間ごとに新しいフレームの画像データを生成する。また、ＣＣＤイメージセンサ１２０は電子シャッタ動作により露出光量を調節する。なお本発明においては、ＣＣＤイメージセンサ１２０に代えて、例えばＣＭＯＳイメージセンサやＮＭＯＳイメージセンサなど、他の撮像素子を用いても良い。
【００１５】
前処理部１２１は、ＣＣＤイメージセンサ１２０で生成された画像データに対して、相関二重サンプリング、ゲイン調整等の処理を実行する。また、アナログ形式の画像データからデジタル形式の画像データへの変換を施す。その後、前処理部１２１は画像データを画像処理部１３０に出力する。
【００１６】
画像処理部１３０は、画像データに対して各種の処理を施す。各種処理としては、ガンマ補正、ホワイトバランス補正、ＹＣ変換処理、電子ズーム処理、圧縮処理、伸張処理等が挙げられるが、これらに限定されるものではない。また、これらの一部を欠く構成としてもよい。画像処理部１３０は、ハードワイヤードな電子回路で構成してもよいし、プログラムを用いたマイクロコンピュータなどで構成してもよい。またコントローラ１５０などとともに１つの半導体チップで構成してもよい。
【００１７】
コントローラ１５０は、デジタルカメラ１００全体の動作を統括制御する。コントローラ１５０は、プログラム等の情報を格納するＲＯＭ（不図示）や、プログラム等の情報を処理するＣＰＵ（不図示）などにより構成される。ＲＯＭは、フォーカス制御や露出制御に関するプログラムの他、デジタルカメラ１００全体の動作を統括制御するためのプログラムを格納している。またＲＯＭは、ＣＣＤイメージセンサ１２０が起動した後、最初に撮像を実行するときの絞り値やシャッタスピードに関する撮像初期データ、適正露出を得るための目標輝度値に関するデータ、露出値（Ｅｖ）に対する絞り値（Ａｖ）シャッタスピード（Ｔｖ）を示すプログラム線図などを格納している。
【００１８】
コントローラ１５０は、ハードワイヤードな電子回路で構成してもよいし、マイクロコンピュータなどで構成してもよい。また、画像処理部１３０などと共に1つの半導体チップで構成してもよい。また、ＲＯＭはコントローラ１５０の内部構成である必要はなく、コントローラ１５０の外部に備わったものでもよい。
【００１９】
バッファメモリ１４０は、画像処理部１３０やコントローラ１５０のワークメモリとして機能する記憶手段である。バッファメモリ１４０はＤＲＡＭ（Dynamic Random Access Memory）などで実現できる。
【００２０】
フラッシュメモリ１６０は、画像データ等を記憶するための内部メモリとして機能する。コントローラ１５０は、画像処理部１３０で処理される画像データをフラッシュメモリ１あるいはメモリカード１９２に記憶する。
【００２１】
カードスロット１９１は、メモリカード１９２を着脱可能な接続手段である。カードスロット１９１は、メモリカード１９２を電気的及び機械的に接続可能である。また、カードスロット１９１は、メモリカード１９２を制御する機能を備えてもよい。
【００２２】
メモリカード１９２は、内部にフラッシュメモリ等の記憶部を備えた外部メモリである。メモリカード１９２は、画像処理１３０で処理される画像データなどのデータを記憶可能である。本実施例では、外部メモリの一例としてメモリカード１９２を示すが、本発明はこれには限らない。例えば、光ディスク等の記憶媒体を外部メモリとしてもよい。
【００２３】
電源１８１は、デジタルカメラ１００を構成する各部に電力を供給する。デジタルカメラ１００を構成する各部は、電力を供給されることで動作する。
【００２４】
操作部１８０は、デジタルカメラ１００の外装に備わっている操作釦や操作スライドの総称であり、使用者による操作を受け付ける。例えば、レリーズ釦や、ズームダイヤル、電源１８１によるデジタルカメラ１００各部への電力供給をＯＮ／ＯＦＦするための電源スイッチ等が操作部１８０にあたる。操作部１８０は使用者による操作を受け付けると、コントローラ１５０に種々の動作指示信号を通知する。
【００２５】
液晶ディスプレイ１７０は、デジタルカメラ１００の背面に備わる。液晶ディスプレイ１７０は、画像処理部１３０にて処理された画像データに基づく画像を表示する。液晶ディスプレイ１７０が表示する画像には、スルー画像や記憶画像がある。スルー画像は、ＣＣＤイメージセンサ１２０により一定時間ごとに生成される新しいフレームの画像を連続して表示する画像である。使用者は、液晶ディスプレイ１７０に表示されるスルー画像を参照することにより、被写体の構図を確認しながら撮影できる。記憶画像は、メモリカード１９２やフラッシュメモリ１６０に記憶された画像である。液晶ディスプレイ１７０は、使用者の操作に応じて、すでに記憶した画像データに基づく画像を表示する。また、液晶ディスプレイ１７０は、画像の他、デジタルカメラ１００の設定条件等を表示可能である。
【００２６】
バックライト１７１は、液晶ディスプレイ１７０が画像を表示するためのＬＥＤ等の光源を液晶ディスプレイに向けて照射する。バックライト１７１は、デジタルカメラ１００の電源スイッチがＯＮになったあと、コントローラ１５０からの制御信号に従って、光照射を開始する。なお、本発明は、液晶方式に限定されず、有機ＥＬ方式でもよく画像データを再生表示するディスプレイであれば本発明に適用可能である。
【００２７】
〔１−１−２．本発明との対応関係〕
ＣＣＤイメージセンサ１２０は、本発明の撮像手段の一例である。コントローラ１５０は、本発明の取得手段の一例である。コントローラ１５０は、本発明の露出制御手段の一例である。液晶ディスプレイ１７０およびバックライト１７１とからなる構成は、本発明の表示手段の一例である。デジタルカメラ１００は、本発明の撮像手段の一例である。
【００２８】
〔１−２．動作〕
デジタルカメラ１００の動作について、以下図を用いて説明する。
【００２９】
〔１−２−１．露出補正動作について〕
デジタルカメラ１００の露出補正動作について、図２、図３を用いて説明する。図２は、目標輝度値と現在の輝度値とのＥｖ差分に対して決定されるＥｖ補正量を説明するための図である。図３は、Ｅｖ値に対するＡｖ値とＴｖ値とを示すプログラム線図である。
【００３０】
コントローラ１５０は、新しいフレームの画像データが生成される度に輝度情報を取得する。コントローラ１５０は、ここで取得した現在の輝度情報の示す値（以下、輝度値と呼ぶ）がＲＯＭに格納されている目標輝度値になるよう、所定のプログラム線図に従って露出補正制御を行う。なお、現在のＥｖ値は、現在のＡｖ値とＴｖ値により定まる。電源１８１を投入した直後、すなわちＣＣＤイメージセンサ１２０が画像データ生成を開始する当初のＥｖ値は、ＲＯＭに格納されている絞り値やシャッタスピードに関する撮像初期データに基づいて設定される。
【００３１】
図２に示すように、コントローラ１５０は３段階の露出補正制御を行う。図２は、目標輝度値と現在の輝度値との差分に対する、各露出補正制御の１フレーム（本実施の形態１では１／３０秒としている）あたりの補正量を表している。以下の説明の便宜のために、各露出補正制御を、差分あたりの補正量が大きい順に、露出補正制御ａ、露出補正制御ｂ、露出補正制御ｃと呼ぶことにする。
【００３２】
露出補正制御ａは、目標輝度値と現在の輝度値との差分（以下、ΔＥｖと呼ぶ）を、画像データが生成される１フレームの間に補正する制御である。露出補正制御ａにおいて、コントローラ１５０は、現在のＥｖ値と、ΔＥｖとから補正後のＥｖ値を算出する。そして、コントローラ１５０は、図３に示すようなプログラム線図を参照して、補正後のＥｖ値に変更するためのＡｖ値、Ｔｖ値、Ｓｖ値（不図示）を決定する。コントローラ１５０は、ここで決定した内容に従って、絞り１１３、シャッタ１１４、ＣＣＤイメージセンサ１２０を駆動するための信号を各駆動部（不図示）に通知する。露出補正制御ａは、画像データが生成される１フレームの間に補正する制御であるため、ΔＥｖの変化があるとすぐに追従することができる。その反面、すぐに追従することができるため、撮影状況によっては取得される輝度値が目標輝度値に安定しにくい現象が起こる可能性もある（ハンチング現象）。露出補正制御ａは、取得された現在の輝度値と目標輝度値との差分が大きいときに有効な露出補正制御である。例えば、電源をＯＮにした直後において取得される現在の輝度値と目標値との差分は大きいことが多い。このとき、露出補正制御ａにより一気にこの差分を埋めることができる。
【００３３】
露出補正制御ｂは、目標輝度値と現在の輝度値との差分を、その差分量に応じて段階的に定められた補正量にて補正する制御である。露出補正制御ｂは、露出補正制御ａよりも長い期間をかけて露出補正制御を実行する。露出補正制御ｂにおいて、コントローラ１５０は、現在のＥｖ値と、ΔＥｖとから補正後のＥｖ値を算出する。そして、コントローラ１５０は、図３に示すようなプログラム線図を参照して、補正後のＥｖ値に変更するためのＡｖ値、Ｔｖ値、Ｓｖ値（不図示）を決定する。コントローラ１５０は、ここで決定した内容に従って、絞り１１３、シャッタ１１４、ＣＣＤイメージセンサ１２０を駆動するための信号を各駆動部（不図示）に通知する。露出補正制御ｂは、目標輝度値と現在輝度値の差分に応じて補正量を変更する。すわなち、目標輝度値と現在輝度値の差分が大きいときは小さいときよりも１フレームあたりの補正量が大きい。また、ΔＥｖの変化があるとき、露出補正制御ａと比べて露出補正制御ｂは追従が遅いため、ハンチング現象を回避することもできる。露出補正制御ｂは、現在の輝度値が目標輝度値にある程度近づいているものの、依然差分がある場合に有効である。  露出補正制御ｃは、目標輝度値と現在の輝度値との差分を、その差分量に応じて段階的に定められた補正量にて補正する制御である。露出補正制御ｃにおいて、コントローラ１５０は、現在のＥｖ値と、ΔＥｖとから補正後のＥｖ値を算出する。そして、コントローラ１５０は、図３に示すようなプログラム線図を参照して、補正後のＥｖ値に変更するためのＡｖ値、Ｔｖ値、Ｓｖ値（不図示）を決定する。コントローラ１５０は、ここで決定した内容に従って、絞り１１３、シャッタ１１４、ＣＣＤイメージセンサ１２０を駆動するための信号を各駆動部（不図示）に通知する。露出補正制御ｃは、露出補正制御ｂよりもΔＥｖの変化があるときの補正追従をより遅くした制御である。露出補正制御ｃは、現在の輝度値が目標輝度値近辺にあり、現在の露出状態を維持するのに有効である。
【００３４】
なお、露出補正制御ａおよび露出補正制御ｂは、液晶ディスプレイ１７０のバックライト１７１をＯＮにする前において特に有効である。露出補正制御ａおよび露出補正制御ｂは、露出補正制御ｃと比べ輝度値の差分に対する補正量が大きいため、現在の輝度値を目標輝度値に近づけるときの画像の露出状態の変化量が大きい。そのため、露出補正制御ａおよび露出補正制御ｂを実行中に液晶ディスプレイ１７０が画像を表示すると、使用者は画像の露出状態の顕著な変化を視認してしまうことになる。しかし、バックライト１７１がＯＮされる前、すなわち液晶ディスプレイ１７０が画像を表示する前であればこの問題が生じない。従って、液晶ディスプレイ１７０が画像を表示する前においては、輝度値の差分に対する補正量の大きい露出補正制御ａまたは露出補正制御ｂを実行した方が現在の輝度値が早く目標輝度値に近づくため有利である。
【００３５】
実施の形態１のデジタルカメラ１００において、電源投入直後コントローラ１５０は、露出補正制御ａによる露出補正を行う。露出補正制御ａによる露出補正を一度行った後、コントローラ１５０は、露出補正制御ｂまたは露出補正制御ｃによる露出補正を行う。露出補正制御ｂまたは露出補正制御ｃのいずれの制御を実行するかをいつ切り替えるかは後述する。
【００３６】
〔１−２−２．液晶ディスプレイの表示開始動作について〕
続いて、デジタルカメラ１００の電源ＯＮ後の液晶ディスプレイの表示開始動作について図５〜図７を用いて説明する。
【００３７】
図５は、デジタルカメラ１００の電源ＯＮ後の動作フローチャートである。図６および図７は、デジタルカメラ１００の電源ＯＮ後の制御状況および輝度値の遷移図である。特に図６は、露出状態が早期に安定する場合の遷移図である。また図７は、露出状態が早期には安定しない場合の遷移図である。以下、図５のフローチャートを基に、図６および図７に示す場合のデジタルカメラ１００の動作を説明する。なお、図５中の項目と、図６および図７中の項目で対応するものには同じ符号を付した。
【００３８】
〔１−２−２−１．露出状態が早期に安定する場合〕
まず、図６の露出状態が早期に安定する場合を説明する。デジタルカメラ１００は、操作部１８０の使用者の操作を受け付けて電源ＯＮ状態になると、電源１８１はデジタルカメラ１００を構成する各部への電力供給を開始する（Ｓ２００）。電力が供給されると、コントローラ１５０は、光学系１１０やＣＣＤイメージセンサ１２０など初期設定を開始する（Ｓ２０１）。ここでいう初期設定は、光学系１１０に含まれるフォーカスレンズ１１１やズームレンズ１１２を初期位置に移動や、ＣＣＤイメージセンサ１２０が画像データの生成を開始できる状態への準備である。ＣＣＤイメージセンサ１２０が画像データ生成を開始する当初のＥｖ値は、ＲＯＭに格納されている絞り値やシャッタスピードに関する撮像初期データに基づいて設定される（Ｓ２０１）。
【００３９】
ＣＣＤイメージセンサ１２０は、画像データの生成開始の準備を完了すると、実際に画像データ生成を開始する（Ｓ２０２）。生成された画像データは画像処理部１３０にて各種処理が施される。コントローラ１５０は、新しいフレームの画像データが生成される度に輝度値を取得する（Ｓ２０３）。
【００４０】
コントローラ１５０は、図６中のタイミングＴ１０において取得した輝度値と、目標輝度値との差分（ΔＥｖ）が所定の補正範囲内にあるか否かを判定する（Ｓ２０４）。言い換えると、コントローラ１５０は、取得した輝度値からの補正範囲内に目標値があるか否かを判定する。図６中の両矢印D10が補正範囲である。ここで所定の補正範囲とは、図４に示すように、ＣＣＤイメージセンサ１２０のダイナミックレンジに基づく範囲である。ダイナミックレンジよりも大きな輝度値を取得した場合は、出力信号が飽和してしまうため、コントローラ１５０は的確な露出補正制御ができない。また、ダイナミックレンジよりも小さな輝度値を取得した場合においても、出力信号に占めるノイズの割合が大きくなってしまうため、コントローラ１５０は的確な露出補正制御ができない。そのため、コントローラ１５０は、的確な露出補正制御が実行できる範囲として、ダイナミックレンジに収まる範囲内で補正範囲を設定する。
【００４１】
図６中のタイミングＴ１０においてコントローラ１５０が取得した輝度値と、目標輝度値との差分Ｄ１が補正範囲内のときを説明する。このときまず、コントローラ１５０はこの差分を補正するべく露出補正制御ａを実行する（Ｓ２０５）。そして、コントローラ１５０は、１フレーム以内に絞り１１３やシャッタ１１４の駆動部に駆動信号を通知する。駆動信号を通知された絞り１１３やシャッタ１１４は、遅くとも駆動信号の通知から３フレーム以内に変更後のＡｖ値、Ｔｖ値に設定される。差分Ｄ１が補正範囲内にあるとき、一度の露出補正制御ａにより、取得される現在の輝度値が目標輝度値付近に安定する。また、コントローラ１５０は、ステップＳ２０５の露出補正制御ａの実行とともに、バックライト１７１をＯＮにする（Ｓ２０６）。バックライト１７１はＯＮになると、ＬＥＤによる照明を開始する。ＬＥＤ照明の輝度値は３〜４フレームほどで安定する。つまり、取得される現在の輝度値が安定するタイミングを見越して、コントローラ１５０はバックライト１７１をＯＮにする。そのため、液晶ディスプレイ１７０は、デジタルカメラ１００の電源ＯＮ後、すぐに生成画像の表示を開始することができる。
【００４２】
なお、上記の説明では、ステップＳ２０４において目標値との差分が補正範囲内か否かの判定を実行してから、ステップＳ２０５において露出補正制御ａを実行した。しかし、本発明はこの順序に限定されない。すなわち、露出補正制御ａを実行してから、該判定を実行してもよい。
【００４３】
また、上記の説明では、ステップＳ２０５において露出補正制御ａを実行してから、ステップＳ２０６においてバックライト１７１のＯＮを実行した。しかし、本発明はこの順序に限定されない。すなわち、バックライト１７１のＯＮを実行してから、露出補正制御ａを実行してもよい。但しこの場合は、バックライト１７１のＯＮが実行される前に、目標値との差分が補正範囲内であるという判定がされている必要がある。
【００４４】
バックライト１７１がＯＮされた後において、コントローラ１５０は、露出補正制御ｃを実行する。これにより、取得される輝度値は、目標輝度値付近に維持される。
【００４５】
〔１−２−２−２．露出状態が早期には安定しない場合〕
続いて、図７の、露出状態が早期には安定しない場合を説明する。この場合も、図５のステップＳ２００からステップＳ２０４までの動作は同様のため、説明を省略する。
【００４６】
図７中のタイミングＴ２０においてコントローラ１５０が取得した輝度値と、目標輝度値との差分Ｄ３が補正範囲外のとき、コントローラ１５０はこの差分を補正するべく露出補正制御ａを実行する（Ｓ２０７）。そして、コントローラ１５０は、１フレーム以内に絞り１１３やシャッタ１１４の駆動部に駆動信号を通知する。そして、コントローラ１５０は、１フレーム以内に絞り１１３やシャッタ１１４の駆動部に駆動信号を通知する。駆動信号を通知された絞り１１３やシャッタ１１４は、遅くとも駆動信号の通知から３フレーム以内に変更後のＡｖ値、Ｔｖ値に設定される。しかしながら今回の場合、取得した輝度値と目標輝度値との差分が補正範囲外であったため、露出状態は的確に補正されない。そのため今回の場合はステップＳ２０７での露出補正制御ａとともにはバックライト１７１をＯＮしない。
【００４７】
このとき、タイミングＴ２３において取得される輝度値（Ｓ２０８）は目標輝度値から±１Ｅｖ（図７中Ｄ２）の範囲内にない（Ｓ２０９）。また、バックライト１７１もＯＦＦのままであるため、コントローラ１５０は、露出補正制御ｃより高速の露出補正制御ｂを実行する（Ｓ２１０）。この目標輝度値から±１Ｅｖの範囲とは、取得される輝度値が目標輝度値付近で安定していると判定するための範囲である。なお、本発明はこの範囲を目標輝度値から±１Ｅｖの範囲に限定しない。なお、ここで露出補正制御ａから露出補正制御ｂに切り替える理由は上述したように、ハンチング現象回避のためと、液晶ディスプレイ１７０が画像を表示する前であるので露出状態の補正量を大きくしても問題がないためである。
【００４８】
露出補正制御ｂにより、取得される輝度値が目標輝度値から±１Ｅｖの範囲内に来たとき（Ｓ２０９）、コントローラ１５０は露出補正制御ｂから露出補正制御ｃの実行に切り替える（Ｓ２１１）。またこの露出補正制御ｂから露出補正制御ｃへの切り替えとともに、コントローラ１５０はバックライト１７１をＯＮする（Ｓ２１２）。  そのため、液晶ディスプレイ１７０は、デジタルカメラ１００の電源ＯＮ後、取得される画像の露出状態が安定後すぐに生成画像の表示を開始することができる。
【００４９】
〔１−３．まとめ〕
上記のように、実施の形態１のデジタルカメラ１００は、被写体像を撮像して連続的に画像データを生成するＣＣＤイメージセンサ１２０と、生成された画像データから輝度に関する値を取得するコントローラ１５０と、輝度に関する値が所定の目標値になるようＣＣＤイメージセンサ１２０が画像データを生成する際の露出状態を制御するコントローラ１５０と、画像データに基づく画像を表示する液晶ディスプレイ１７０およびバックライト１７１とからなる構成とを備え、液晶ディスプレイ１７０およびバックライト１７１とからなる構成は、自機の起動の際、輝度に関する値と目標値との差分に応じて表示を開始する。これにより、デジタルカメラ１００は、自機の起動の際に、ＣＣＤイメージセンサ１２０により生成した画像データから取得した輝度に関する値と目標値との差分に応じて液晶ディスプレイ１７０への画像表示を開始することができる。そのため、使用者は、デジタルカメラ１００の電源をＯＮしたとき、すぐに液晶ディスプレイの画像表示を確認することができる。
【００５０】
また、デジタルカメラ１００に係るコントローラ１５０は、露出状態の変更を完了しようとする期間の異なる露出制御を有し、液晶ディスプレイ１７０およびバックライト１７１とからなる構成が表示を開始するタイミングに応じて、露出状態の変更を完了しようとする期間のより長い露出制御へと切り替える。これによりデジタルカメラ１００は、液晶ディスプレイ１７０が画像の表示を開始ときにおいて露出状態の変更を完了しようとする期間の短い露出制御から長い露出制御に切り替えることができる。そのため、デジタルカメラ１００は自機の電源がＯＮになってからすぐに取得される画像データの露出状態を補正するとともに、液晶ディスプレイ１７０の画像表示開始後は露出状態の変化量の少ない画像を使用者に提供することができる。
【００５１】
また、デジタルカメラ１００に係る補正範囲は、ＣＣＤイメージセンサ１２０のダイナミックレンジに基づく範囲である。これによりデジタルカメラ１００は、ＣＣＤイメージセンサ１２０のダイナミックレンジに基づいて露出制御を行うとともに液晶ディスプレイ１７０の画像表示を開示することができる。
【００５２】
〔２．他の実施形態〕
上記の説明において、露出補正制御ａは画像データが生成される1フレーム以内に露出補正するとしたが、本発明はこれに限らない。すなわち、２フレーム以内に露出補正するようにしてもよい。
【００５３】
上記の説明において、コントローラ１５０は、１フレーム以内に絞り１１３やシャッタ１１４の駆動部に駆動信号を通知し、駆動信号を通知された絞り１１３やシャッタ１１４は、遅くとも駆動信号の通知から３フレーム以内に変更後のＡｖ値、Ｔｖ値に設定されるとしたが本発明はこれに限定されない。駆動信号を通知された絞り１１３やシャッタ１１４が何フレーム以内に変更後のＡｖ値、Ｔｖ値に設定されるかはデジタルカメラの性能による。
【００５４】
上記の説明において、露出補正制御ａによる露出補正を一度行った後、コントローラ１５０は、露出補正制御ｂまたは露出補正制御ｃによる露出補正を行うとしたが、本発明はこれに限定しない。すなわち、露出補正制御ａによる露出補正を複数回行った後、コントローラ１５０は、露出補正制御ｂまたは露出補正制御ｃによる露出補正を行ってもよい。
【産業上の利用可能性】
【００５５】
本発明はデジタルカメラへの適用に限定されず、ムービー、カメラ付携帯電話等の撮像手段を有する電子機器に適用可能である。
【符号の説明】
【００５６】
１１１    フォーカスレンズ
１１２    ズームレンズ
１１３    絞り
１１４    シャッタ
１２０    ＣＣＤイメージセンサ
１３０    画像処理部
１５０    コントローラ
１６０    フラッシュメモリ
１７０    液晶ディスプレイ
１７１    バックライト
１８０    操作部
１８１    電源
【図１】
2011029973.tif 000003
【図２】
2011029973.tif 000004
【図３】
2011029973.tif 000005
【図４】
2011029973.tif 000006
【図５】
2011029973.tif 000007
【図６】
2011029973.tif 000008
【図７】
2011029973.tif 000009